(57)【要約】【課題】免震装置が施工された建物に取り付けられた竪樋からの排水をスムースに排出することができ、地震の際は竪樋の破損を防ぐことが可能な竪樋の免震排水構造を提供する。【解決手段】免震装置が施工された建物Ｔの外壁面より外側に建物Ｔの基礎部５を延設し、延設された基礎部５上面に建物外壁面に沿って排水溝３を凹設するとともに、上記基礎部５を下方から貫通し、排水溝３底面に開口する排水管２の上端部を排水口１とし、さらに該排水口１の周囲に円環状の排水受け部４が設けられ、建物Ｔの外壁面に固定された竪樋６の下端部６１を上記排水口１に臨ませてなる免震排水構造。【選択図】図２
2008106484.tif 000002
【特許請求の範囲】
【請求項１】
免震装置が施工された建物の外壁面より外側に建物の基礎部を延設し、延設された基礎部上面に建物外壁面に沿って排水溝を凹設するとともに、上記基礎部を下方から貫通し、排水溝底面に開口する排水管の上端部を排水口とし、さらに該排水口の周囲に円環状の排水受け部が設けられ、建物の外壁面に固定された竪樋の下端部を上記排水口に臨ませてなる免震排水構造。
【請求項２】
上記竪樋の下端を先細とし、下端部の口径が排水口の開口径よりも小とされた請求項１に記載の免震排水構造。
【請求項３】
上記竪樋の下端部に排水飛散防止スカートが取り付けられた請求項１に記載の免震排水構造。
【発明の詳細な説明】
【技術分野】
【０００１】
本発明は、竪樋の排水構造に関する。さらに詳しくは、免震装置により免震された建物に取り付けられる竪樋の免震排水構造に関する。
【背景技術】
【０００２】
近年、地震対策の見地から免震構造の住宅が普及しつつあり、一般的に免震構造の住宅は、基礎部と建物との間に免震装置を介在させて建築されている。この免震装置は、建物を支持するとともに、地震による揺れが建物に影響することを防止する装置であり、種々のタイプの免震装置が実用化されている。
【０００３】
上記免震装置としては、例えば、基礎部と建物との間にコロ等の転動する部材を配設したいわゆるコロ免震と称される構造、ゴム板を積層してなる積層体により建物を支持させるいわゆるゴム免震と称される構造、基礎部側に形成された摺動盤の上面と構造物を支持する摺動部材の下面とが地震動により摺接するいわゆる滑り免震と称される構造などがあり、これらの構造を組み合わせて用いられることも多い。
【０００４】
上記した免震装置が施工された建物においては、建物の駆体等基本的構造と、駆体に付属する各種の部材、とくに基礎部と駆体とを繋いで取り付けられる部材をどのような構造とするかが問題となる。例えば、雨水を排水する竪樋の取り付け構造に関しては、従来通りの構造では、基礎部と駆体とに連結された竪樋に地震によって生じる剪断応力や歪み応力が集中して竪樋が破壊されるという問題がある。
【０００５】
そこで、上記問題を解決するために、下記特許文献１には、免震構造物側に取り付けられる竪樋の下端と基礎部側に取り付けられる竪樋の上端とを連結管により連結させるものであって、上記連結管は可撓性を有する材料により成形されてなる免震構造物における竪樋の取り付け構造および竪樋の連結管が開示されている。
【特許文献１】特開２００３−２７６８２号公報（第１〜３頁、第１図、第２図）
【発明の開示】
【発明が解決しようとする課題】
【０００６】
しかしながら、上記特許文献１に記載の技術は、例えば、蛇腹状の連結管が外部に現れて見栄えが悪いという問題がある。また、地震の揺れが大きいときは、蛇腹が外れる構造となっているが、不測の事態によって外れることも考えられ、その場合は排水が飛散するということも考えられる。
【０００７】
本発明はこのような問題を解決して、免震装置が施工された建物に取り付けられた竪樋の排水を飛散させずにスムースに排出することができるとともに、地震の際には竪樋の破損を防ぐことが可能な免震排水構造を提供することを、その課題とする。
【課題を解決するための手段】
【０００８】
上記課題を解決するために、本発明においては、つぎのような技術的手段を講じている。すなわち、請求項１に記載の発明によれば、免震装置が施工された建物の外壁面より外側に建物の基礎部を延設し、延設された基礎部上面に建物外壁面に沿って排水溝を凹設するとともに、上記基礎部を下方から貫通し、排水溝底面に開口する排水管の上端部を排水口とし、さらに該排水口の周囲に円環状の排水受け部が設けられ、建物の外壁面に固定された竪樋の下端部を上記排水口に臨ませてなる免震排水構造が提供される。
【０００９】
請求項２に記載の免震排水構造は、請求項１に記載の発明に加えて、上記竪樋の下端を先細とし、下端部の口径が排水口の開口径よりも小さくされることが好ましい。
【００１０】
請求項３に記載の免震排水構造は、請求項１に記載の発明に加えて、上記竪樋の下端部に排水飛散防止スカートを取り付けることが好ましい。
【発明の効果】
【００１１】
請求項１に記載の発明にかかる免震排水構造は上記のとおりであり、免震建物の外壁面より延設された基礎部上面に排水溝を凹設するとともに、上記基礎部を下方から貫通する排水管の上端部が排水口として上記排水溝底面に開口するとともに、建物の外壁面に固定された竪樋の下端部を上記排水口に臨ませ、さらに該排水口の周囲に円環状の排水受け部が設けられているため、地震の揺れに対応し、竪樋の下端部が横方向に移動して排水が飛散しても漏れることなく、受水することができる。
【００１２】
請求項２に記載の免震排水構造は上記のとおりであり、請求項１の免震排水構造の有する効果に加え、上記竪樋の下端が先細とされ、下端部の口径が排水口の開口径よりも小さくなっているため、竪樋の排水が絞られ、飛散することなく、排水管に流下させることができる。
【００１３】
請求項３に記載の免震排水構造は上記のとおりであり、請求項１の免震排水構造の有する効果に加え、上記竪樋の下端部に排水飛散防止スカートが取り付けられているため、竪樋の下端部を排水飛散防止スカートで覆うことにより地震により竪樋の下端部が横方向に移動しても、排水の飛散を防止することをできる。
【発明を実施するための最良の形態】
【００１４】
以下、本発明にかかる免震排水構造の実施形態について図面を参照して詳細に説明する。図１は、免震装置が施工された建物に本発明の免震排水構造を取り付けた状態を示す全体図である。図１において、建物Ｔと基礎部５との間にはコロ免震装置９が介装され、地震の際には建物Ｔが免震される構造となっている。
【００１５】
竪樋６は控え金具８によって建物Ｔに固定され、地震の際には建物Ｔと共に横方向に転動する。一方、上記建物Ｔの外壁面より外側に延設された基礎部５は、その上面に建物Ｔの外壁面に沿って排水溝３が凹設されている。この排水溝３は、地震の際に周囲に飛散した排水が排水溝３内に受けられるように、また、台風や強風の際に吹き降りとなった雨を受けるように設けられている。
【００１６】
排水管２は上記基礎部５を下方から貫通し、その上端部は排水溝３の底面に開口し、排水口１を形成するとともに、排水管２の他端は地中に埋設された図外地中排水管に接続される。一方、基礎部５の上に滞留した水や上記吹き降りとなった雨が建物Ｔの床下に浸入することを防ぐため、雨水浸入防止ガイド７が突設されている。さらに上記排水口１の周囲には円環状の排水受け部４が設けられている。
【００１７】
図２は本発明にかかる免震排水構造の要部を示す斜視図であり、図３は本発明にかかる免震排水構造の要部を示す部分断面側面図である。図２、図３に示されているように、控え金具８によって建物Ｔに固定された竪樋６の下端部６１は、上記基礎部５を貫通する排水管２の上端部が排水溝３の底面に開口してなる排水口１に臨んで設けられている。このとき、竪樋６の下端は先細に絞られており、下端部６１の口径は、図３に示すように上記排水口１の口径ｄよりも小とされている。また、排水管２の他端は図外地中排水管に接続されている。
【００１８】
さらに上記排水口１の周囲には円環状の排水受け部４が排水溝３を含んで凹設され、地震の揺れに対応して竪樋６の下端部６１が横方向に移動し、排水が飛散したときでも、漏れることなく、受水するようにされている。また、下端部６１は排水口１と接触することなく、上方から臨ませているため、地震のときでも竪樋の損傷を避けることができる。
【００１９】
図４は、竪樋６の下端に排水飛散防止スカート６２を取り付けた状態を示す部分断面側面図である。排水飛散防止スカート６２で竪樋６の下端部６１を覆うことにより地震のときでも、排水が飛散することを防止できる。また、上記排水溝３は網目構造の鉄板等のカバー材で、水は通すがゴミ等夾雑物は通さないように覆い、排水口１のゴミ詰まりを防ぐようにされてもよい。さらに、上記基礎部５を貫通する排水管２から枝管を分岐して基礎部５の側方に突出させ、排出された雨水を散水用、植裁用等に再利用してもよい。このように、本発明は種々設計変更可能であり、特許請求の範囲を逸脱しない限り、本発明の技術的範囲に属する。
【図面の簡単な説明】
【００２０】
【図１】免震装置が施工された建物に本発明にかかる免震排水構造を取り付けた状態を示す全体図である。
【図２】本発明にかかる免震排水構造の要部を示す斜視図である。
【図３】本発明にかかる免震排水構造の要部を示す部分断面側面図である。
【図４】図３に示す竪樋の下端に排水飛散防止スカートを取り付けた状態を示す部分断面側面図である。
【符号の説明】
【００２１】
１          排水口
２          排水管
３          排水溝
４          排水受け部
５          基礎部
６          竪樋
６１        下端部
６２        排水飛散防止スカート
７          雨水浸入防止ガイド
８          控え金具
９          コロ免震装置
Ｔ          建物
【図１】
2008106484.tif 000003
【図２】
2008106484.tif 000004
【図３】
2008106484.tif 000005
【図４】
2008106484.tif 000006